(57)【要約】      （修正有）【課題】競合ベース無線周波数スペクトルを利用する少なくともキャリア上で、送信機によって、チャネル予約信号を生成および送信する方法を提供する。【解決手段】送信機は、競合ベース無線周波数スペクトルを利用するキャリア上で、成功した拡張クリアチャネルアセスメント（ＥＣＣＡ）検査を検出し、ＥＣＣＡ検査の成功を検出した時間から現在サブフレームの終了までアイドルにとどまり、現在サブフレームの後の後続のサブフレームにおいて開始するチャネル予約信号を送信する。【選択図】図８
2020017984.tif 000002
【特許請求の範囲】
【請求項１】
送信機によって、競合ベース無線周波数スペクトルを利用する少なくとも１つのキャリア上で、成功した拡張クリアチャネルアセスメント（ＥＣＣＡ）検査を検出することと、ここにおいて、前記成功したＥＣＣＡ検査は、現在サブフレーム、現在スロット、または現在シンボルの内の１つの、サブフレーム、スロット、またはシンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することと、ここにおいて、前記チャネル予約信号が、前記第１のシーケンスとは異なる第２のシーケンスを使用して生成される、を備える、ワイヤレス通信の方法。
【請求項２】
前記送信機によって、前記少なくとも１つのキャリア上での送信のためのデータを検出することと、
前記送信機によって、前記成功したＥＣＣＡ検査を前記検出することに応答して、前記第１のシーケンスを生成することと、
前記送信機によって、前記サブフレーム境界に達することに応答して、前記第２のシーケンスを生成することと、
前記送信機によって、前記後続のサブフレームの後に、前記データを送信することとをさらに含む、請求項１に記載の方法。
【請求項３】
前記送信機によって、前記成功したＥＣＣＡ検査の時間を検出することと、
前記送信機によって、前記時間と前記現在サブフレームの現在サブフレームタイミングとを比較することと、
前記送信機によって、前記時間が前記サブフレーム境界より前にあると決定することとをさらに含む、請求項１に記載の方法。
【請求項４】
前記第１のシーケンスが、前記第２のシーケンスの導出されたバージョンである、請求項１に記載の方法。
【請求項５】
前記導出されたバージョンが、
前記第２のシーケンスの反転順序、
前記第２のシーケンスの反転同相／直角位相順序、または
別のシーケンスによって乗算された前記第２のシーケンス、の内の１つである、請求項４に記載の方法。
【請求項６】
送信機によって、競合ベース無線周波数スペクトルを利用する少なくとも１つのキャリア上で、成功した拡張クリアチャネルアセスメント（ＥＣＣＡ）検査を検出することと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記現在サブフレームの後の後続のサブフレームにおいて開始するチャネル予約信号を送信することと、を備える、ワイヤレス通信の方法。
【請求項７】
前記送信機によって、前記後続のサブフレームにおいて前記チャネル予約信号を前記送信することより前にクリアチャネルアセスメント（ＣＣＡ）検査を実行することと、
前記送信機によって、前記ＣＣＡ検査の結果を検出することと、ここにおいて、前記送信することが、成功したＣＣＡ検査に応答して行われる、をさらに含む、請求項６に記載の方法。
【請求項８】
前記送信機によって、前記成功したＥＣＣＡ検査と前記サブフレーム境界との間のアイドル時間を決定すること、ここにおいて、前記ＣＣＡ検査を前記実行することが、前記アイドル時間が所定のしきい値を超えることに応答して行われる、をさらに含む、請求項７に記載の方法。
【請求項９】
プログラムコードを記録した非一時的コンピュータ可読媒体であって、前記プログラムコードは、
送信機によって、競合ベース無線周波数スペクトルを利用する少なくとも１つのキャリア上で、成功した拡張クリアチャネルアセスメント（ＥＣＣＡ）検査を検出することをコンピュータに行わせるためのプログラムコードと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することを前記コンピュータに行わせるためのプログラムコードと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することを前記コンピュータに行わせるためのプログラムコードと、ここにおいて、前記チャネル予約信号が、前記第１のシーケンスとは異なる第２のシーケンスを使用して生成される、を含む、非一時的コンピュータ可読媒体。
【請求項１０】
前記送信機によって、前記少なくとも１つのキャリア上での送信のためのデータを検出することを前記コンピュータに行わせるためのプログラムコードと、
前記送信機によって、前記成功したＥＣＣＡ検査を検出することに応答して、前記第１のシーケンスを生成することを前記コンピュータに行わせるためのプログラムコードと、  前記送信機によって、前記サブフレーム境界に達することに応答して、前記第２のシーケンスを生成することを前記コンピュータに行わせるためのプログラムコードと、
前記送信機によって、前記後続のサブフレームの後に前記データを送信することを前記コンピュータに行わせるためのプログラムコードと、をさらに含む、請求項９に記載の非一時的コンピュータ可読媒体。
【請求項１１】
前記送信機によって、前記成功したＥＣＣＡ検査の時間を検出することを前記コンピュータに行わせるためのプログラムコードと、
前記送信機によって、前記時間と前記現在サブフレームの現在サブフレームタイミングとを比較することを前記コンピュータに行わせるためのプログラムコードと、
前記送信機によって、前記時間が前記サブフレーム境界より前にあると決定することを前記コンピュータに行わせるためのプログラムコードと、をさらに含む、請求項９に記載の非一時的コンピュータ可読媒体。
【請求項１２】
前記第１のシーケンスは、前記第２のシーケンスの導出されたバージョンである、請求項９に記載の非一時的コンピュータ可読媒体。
【請求項１３】
前記導出されたバージョンは、
前記第２のシーケンスの反転順序、
前記第２のシーケンスの反転同相／直角位相順序、または
別のシーケンスによって乗算された前記第２のシーケンス、の内の１つである、請求項１２に記載の非一時的コンピュータ可読媒体。
【請求項１４】
ワイヤレス通信のために構成された装置であって、前記装置は、
少なくとも１つのプロセッサと、
前記少なくとも１つのプロセッサに結合されたメモリと
を備え、
ここにおいて、前記少なくとも１つのプロセッサは、
送信機によって、競合ベース無線周波数スペクトルを利用する少なくとも１つのキャリア上で、成功した拡張クリアチャネルアセスメント（ＥＣＣＡ）検査を検出することと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することと、ここにおいて、前記チャネル予約信号が、前記第１のシーケンスとは異なる第２のシーケンスを使用して生成される、を行うように構成された、装置。
【請求項１５】
前記送信機によって、前記少なくとも１つのキャリア上での送信のためのデータを検出することと、
前記送信機によって、前記成功したＥＣＣＡ検査を検出することに応答して、前記第１のシーケンスを生成することと、
前記送信機によって、前記サブフレーム境界に達することに応答して、前記第２のシーケンスを生成することと、
前記送信機によって、前記後続のサブフレームの後に前記データを送信することと
を行うための前記少なくとも１つのプロセッサの構成をさらに含む、請求項１４に記載の装置。
【請求項１６】
前記送信機によって、前記成功したＥＣＣＡ検査の時間を検出することと、
前記送信機によって、前記時間と前記現在サブフレームの現在サブフレームタイミングとを比較することと、
前記送信機によって、前記時間が前記サブフレーム境界より前にあると決定することとを行うための前記少なくとも１つのプロセッサの構成をさらに含む、請求項１４に記載の装置。
【請求項１７】
前記第１のシーケンスは、前記第２のシーケンスの導出されたバージョンである、請求項１４に記載の装置。
【請求項１８】
前記導出されたバージョンは、
前記第２のシーケンスの反転順序、
前記第２のシーケンスの反転同相／直角位相順序、または
別のシーケンスによって乗算された前記第２のシーケンス、の内の１つである、請求項１７に記載の装置。
【発明の詳細な説明】
【関連出願の相互参照】
【０００１】
[0001]  本出願は、その全体が参照により本明細書に明確に組み込まれる、２０１４年１２月１５日に出願された「MISDETECTION OF FRACTIONAL CHANNEL RESERVING SIGNALS」と題する米国仮特許出願第６２／０９１，７００号、および２０１５年１２月１４日に出願された「MISDETECTION OF FRACTIONAL CHANNEL RESERVING SIGNALS」と題する米国実用特許出願第１４／９６８，４６２号の利益を主張する。
【分野】
【０００２】
[0002]  本開示の態様は、一般的にワイヤレス通信システムに関し、より詳細には、無認可スペクトルを含む競合ベーススペクトル共有を用いたシステムにおけるフラクショナルチャネル予約信号（fractional channel reserving signal）の誤検出に関する。
【背景】
【０００３】
[0003]  ワイヤレス通信ネットワークは、音声、ビデオ、パケットデータ、メッセージング、ブロードキャスト、およびそのようなもの、のような様々な通信サービスを提供するために広く展開されている。これらのワイヤレスネットワークは、利用可能なネットワークリソースを共有することによって、複数のユーザをサポートすることが可能な多元接続ネットワークであり得る。通常、多元接続ネットワークである、そのようなネットワークは、利用可能なネットワークリソースを共有することによって、複数のユーザのための通信をサポートする。そのようなネットワークの一例は、ユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]  ワイヤレス通信ネットワークは、多数のユーザ機器（ＵＥ）のための通信をサポートすることができる多数の基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]  基地局は、ＵＥにダウンリンク上でデータおよび制御情報を送信し得、および／またはＵＥからアップリンク上でデータおよび制御情報を受信し得る。ダウンリンク上で、基地局からの送信は、隣り合う基地局からの送信、または他のワイヤレス無線周波数（ＲＦ）送信機からの送信による干渉に遭遇し得る。アップリンク上で、ＵＥからの送信は、隣り合う基地局と通信する他のＵＥのアップリンク送信からの干渉、または他のワイヤレスＲＦ送信機からの干渉に遭遇し得る。この干渉は、ダウンリンクとアップリンクの両方で性能を劣化させ得る。
【０００６】
[0006]  モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを増進および向上させるためにも、ＵＭＴＳ技術を増進させる研究および開発が続けられている。
【概要】
【０００７】
[0007]  本開示の一態様において、ワイヤレス通信の方法は、送信機によって、競合ベース無線周波数スペクトルを利用する少なくとも１つのキャリア上で、成功した拡張クリアチャネルアセスメント（ＥＣＣＡ：extended clear channel assessment）検査を検出することと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査とサブフレーム境界との間で、フラクショナルチャネル予約信号を送信することと、ここにおいて、フラクショナルチャネル予約信号は、第１のシーケンスを使用して生成され、送信機によって、少なくとも１つのキャリア上で、現在サブフレームの後の後続のサブフレームにおいて開始するチャネル予約信号を送信することと、ここにおいて、チャネル予約信号が、第１のシーケンスとは異なる第２のシーケンスを使用して生成される、を含む。
【０００８】
[0008]  本開示の追加の態様において、ワイヤレス通信の方法は、送信機によって、競合ベース無線周波数スペクトルを利用する少なくとも１つのキャリア上で、成功したＥＣＣＡ検査を検出することと、ここにおいて、成功したＥＣＣＡ検査は、現在サブフレーム、現在スロット、または現在シンボルの境界より前に行われ、送信機によって、少なくとも１つのキャリア上で、現在サブフレームの後の後続のサブフレームにおいて開始するチャネル予約信号を送信することとを含む。
【０００９】
[0009]  本開示の追加の態様において、ワイヤレス通信の方法は、ＵＥによって、チャネル予約信号について第１のサブフレームを監視することと、ＵＥによって、チャネル予約信号について後続のサブフレームを監視することと、ＵＥが後続のサブフレームにおいて後続のチャネル予約信号を検出するとき、ＵＥによって、第１のサブフレームにおいて検出された第１のチャネル予約信号が、フラクショナルチャネル予約サブフレームであると決定することとを含む。
【００１０】
[0010]  本開示の追加の態様において、ワイヤレス通信の方法は、送信機によって、競合ベース無線周波数スペクトルを利用する少なくとも１つのキャリア上で、成功したＥＣＣＡ検査を検出することと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査とサブフレーム境界との間で、フラクショナルチャネル予約信号を送信することと、送信機によって、少なくとも１つのキャリア上で、現在サブフレームの後の後続のサブフレームにおいて開始するデータを送信することとを含む。
【００１１】
[0011]  本開示の追加の態様において、ワイヤレス通信の方法は、送信機によって、競合ベース無線周波数スペクトルを利用する少なくとも１つのキャリア上で、成功したＥＣＣＡ検査を検出することと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査と現在サブフレームのサブフレーム境界との間で、フラクショナルチャネル予約信号を送信することと、送信機によって、少なくとも１つのキャリア上で、現在サブフレームの後の後続のサブフレームにおいて開始するチャネル予約信号を送信することと、送信機によって、後続のサブフレーム上で、チャネル予約信号に加えてフレームフォーマットインジケータ信号を送信することとを含む。
【００１２】
[0012]  本開示の追加の態様において、ワイヤレス通信の方法は、送信機によって、競合ベース無線周波数スペクトルを利用する少なくとも１つのキャリア上で、成功したＥＣＣＡ検査を検出することと、ここにおいて、成功したＥＣＣＡ検査が、現在サブフレーム、現在スロット、または現在シンボルの境界より前に行われ、送信機によって、少なくとも１つのキャリア上で、成功したＥＣＣＡ検査と現在サブフレームのサブフレーム境界との間で、フラクショナルチャネル予約信号を送信することと、送信機によって、現在サブフレームの後の後続のサブフレームにおいて送信機によって受信された１つまたは複数のチャネル状態情報報告の各々を廃棄することとを含む。
【００１３】
[0013]  本開示の追加の態様において、ワイヤレス通信のために構成された装置は、送信機によって、競合ベース無線周波数スペクトルを利用する少なくとも１つのキャリア上で、成功したＥＣＣＡ検査を検出するための手段と、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査とサブフレーム境界との間で、フラクショナルチャネル予約信号を送信するための手段と、ここにおいて、フラクショナルチャネル予約信号は、第１のシーケンスを使用して生成され、送信機によって、少なくとも１つのキャリア上で、現在サブフレームの後の後続のサブフレームにおいて開始するチャネル予約信号を送信するための手段と、ここにおいて、チャネル予約信号は、第１のシーケンスとは異なる第２のシーケンスを使用して生成される、を含む。
【００１４】
[0014]  本開示の追加の態様において、ワイヤレス通信のために構成された装置は、送信機によって、競合ベース無線周波数スペクトルを利用する少なくとも１つのキャリア上で、成功したＥＣＣＡ検査を検出するための手段と、ここにおいて、成功したＥＣＣＡ検査は、現在サブフレーム、現在スロット、または現在シンボルの境界より前に行われ、送信機によって、少なくとも１つのキャリア上で、現在サブフレームの後の後続のサブフレームにおいて開始するチャネル予約信号を送信するための手段とを含む。
【００１５】
[0015]  本開示の追加の態様において、ワイヤレス通信のために構成された装置は、ＵＥによって、チャネル予約信号について第１のサブフレームを監視するための手段と、ＵＥによって、チャネル予約信号について後続のサブフレームを監視するための手段と、ＵＥが後続のサブフレームにおいて後続のチャネル予約信号を検出するとき、ＵＥによって、第１のサブフレームにおいて検出された第１のチャネル予約信号がフラクショナルチャネル予約サブフレームであると決定するための手段とを含む。
【００１６】
[0016]  本開示の追加の態様において、ワイヤレス通信のために構成された装置は、送信機によって、競合ベース無線周波数スペクトルを利用する少なくとも１つのキャリア上で、成功したＥＣＣＡ検査を検出するための手段と、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査とサブフレーム境界との間で、フラクショナルチャネル予約信号を送信するための手段と、送信機によって、少なくとも１つのキャリア上で、現在サブフレームの後の後続のサブフレームにおいて開始するデータを送信するための手段とを含む。
【００１７】
[0017]  本開示の追加の態様において、ワイヤレス通信のために構成された装置は、送信機によって、競合ベース無線周波数スペクトルを利用する少なくとも１つのキャリア上で、成功したＥＣＣＡ検査を検出するための手段と、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査と現在サブフレームのサブフレーム境界との間で、フラクショナルチャネル予約信号を送信するための手段と、送信機によって、少なくとも１つのキャリア上で、現在サブフレームの後の後続のサブフレームにおいて開始するチャネル予約信号を送信するための手段と、送信機によって、後続のサブフレーム上で、チャネル予約信号に加えてフレームフォーマットインジケータ信号を送信するための手段とを含む。
【００１８】
[0018]  本開示の追加の態様において、ワイヤレス通信のために構成された装置は、送信機によって、競合ベース無線周波数スペクトルを利用する少なくとも１つのキャリア上で、成功したＥＣＣＡ検査を検出するための手段と、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査と現在サブフレームのサブフレーム境界との間で、フラクショナルチャネル予約信号を送信するための手段と、送信機によって、現在サブフレームの後の後続のサブフレームにおいて送信機によって受信された１つまたは複数のチャネル状態情報報告の各々を廃棄するための手段とを含む。
【００１９】
[0019]  本開示の追加の態様において、プログラムコードを記録したコンピュータ可読媒体。このプログラムコードは、送信機によって、競合ベース無線周波数スペクトルを利用する少なくとも１つのキャリア上で、成功したＥＣＣＡ検査を検出するためのコードと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査とサブフレーム境界との間で、フラクショナルチャネル予約信号を送信するためのコードと、ここにおいて、フラクショナルチャネル予約信号は、第１のシーケンスを使用して生成され、送信機によって、少なくとも１つのキャリア上で、現在サブフレームの後の後続のサブフレームにおいて開始するチャネル予約信号を送信するためのコードと、ここにおいて、チャネル予約信号は、第１のシーケンスとは異なる第２のシーケンスを使用して生成される、を含む。
【００２０】
[0020]  本開示の追加の態様において、プログラムコードを記録したコンピュータ可読媒体。このプログラムコードは、送信機によって、競合ベース無線周波数スペクトルを利用する少なくとも１つのキャリア上で、成功したＥＣＣＡ検査を検出するためのコードと、ここにおいて、成功したＥＣＣＡ検査は、現在サブフレーム、現在スロット、または現在シンボルの境界より前に行われ、送信機によって、少なくとも１つのキャリア上で、現在サブフレームの後の後続のサブフレームにおいて開始するチャネル予約信号を送信するためのコードとを含む。
【００２１】
[0021]  本開示の追加の態様において、プログラムコードを記録したコンピュータ可読媒体。このプログラムコードは、ＵＥによって、チャネル予約信号について第１のサブフレームを監視するためのコードと、ＵＥによって、チャネル予約信号について後続のサブフレームを監視するためのコードと、ＵＥが後続のサブフレームにおいて後続のチャネル予約信号を検出するとき、ＵＥによって、第１のサブフレームにおいて検出された第１のチャネル予約信号が、フラクショナルチャネル予約サブフレームであると決定するためのコードとを含む。
【００２２】
[0022]  本開示の追加の態様において、プログラムコードを記録したコンピュータ可読媒体。このプログラムコードは、送信機によって、競合ベース無線周波数スペクトルを利用する少なくとも１つのキャリア上で、成功したＥＣＣＡ検査を検出するためのコードと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査とサブフレーム境界との間ので、フラクショナルチャネル予約信号を送信するためのコードと、送信機によって、少なくとも１つのキャリア上で、現在サブフレームの後の後続のサブフレームにおいて開始するデータを送信するためのコードとを含む。
【００２３】
[0023]  本開示の追加の態様において、プログラムコードを記録したコンピュータ可読媒体。このプログラムコードは、送信機によって、競合ベース無線周波数スペクトルを利用する少なくとも１つのキャリア上で、成功したＥＣＣＡ検査を検出するためのコードと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査と現在サブフレームのサブフレーム境界との間で、フラクショナルチャネル予約信号を送信するためのコードと、送信機によって、少なくとも１つのキャリア上で、現在サブフレームの後の後続のサブフレームにおいて開始するチャネル予約信号を送信するためのコードと、送信機によって、後続のサブフレーム上で、チャネル予約信号に加えてフレームフォーマットインジケータ信号を送信するためのコードとを含む。
【００２４】
[0024]  本開示の追加の態様において、プログラムコードを記録したコンピュータ可読媒体。このプログラムコードは、送信機によって、競合ベース無線周波数スペクトルを利用する少なくとも１つのキャリア上で、成功したＥＣＣＡ検査を検出するためのコードと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査と現在サブフレームのサブフレーム境界との間で、フラクショナルチャネル予約信号を送信するためのコードと、送信機によって、現在サブフレームの後の後続のサブフレームにおいて送信機によって受信された１つまたは複数のチャネル状態情報報告の各々を廃棄するためのコードとを含む。
【００２５】
[0025]  本開示の追加の態様において、装置は、少なくとも１つのプロセッサと、プロセッサに結合されたメモリとを含む。プロセッサは、送信機によって、競合ベース無線周波数スペクトルを利用する少なくとも１つのキャリア上で、成功したＥＣＣＡ検査を検出することと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査とサブフレーム境界との間ので、フラクショナルチャネル予約信号を送信することと、ここにおいて、フラクショナルチャネル予約信号は、第１のシーケンスを使用して生成され、送信機によって、少なくとも１つのキャリア上で、現在サブフレームの後の後続のサブフレームにおいて開始するチャネル予約信号を送信することと、ここにおいて、チャネル予約信号は、第１のシーケンスとは異なる第２のシーケンスを使用して生成される、を行うように構成される。
【００２６】
[0026]  本開示の追加の態様において、装置は、少なくとも１つのプロセッサと、プロセッサに結合されたメモリとを含む。プロセッサは、送信機によって、競合ベース無線周波数スペクトルを利用する少なくとも１つのキャリア上で、成功したＥＣＣＡ検査を検出することと、ここにおいて、成功したＥＣＣＡ検査は、現在サブフレーム、現在スロット、または現在シンボルの境界より前に行われ、送信機によって、少なくとも１つのキャリア上で、現在サブフレームの後の後続のサブフレームにおいて開始するチャネル予約信号を送信することとを行うように構成される。
【００２７】
[0027]  本開示の追加の態様において、装置は、少なくとも１つのプロセッサと、プロセッサに結合されたメモリとを含む。プロセッサは、ＵＥによって、チャネル予約信号について第１のサブフレームを監視することと、ＵＥによって、チャネル予約信号について後続のサブフレームを監視することと、ＵＥが後続のサブフレームにおいて後続のチャネル予約信号を検出するとき、ＵＥによって、第１のサブフレームにおいて検出された第１のチャネル予約信号がフラクショナルチャネル予約サブフレームであると決定することとを行うように構成される。
【００２８】
[0028]  本開示の追加の態様において、装置は、少なくとも１つのプロセッサと、プロセッサに結合されたメモリとを含む。プロセッサは、送信機によって、競合ベース無線周波数スペクトルを利用する少なくとも１つのキャリア上で、成功したＥＣＣＡ検査を検出することと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査とサブフレーム境界との間で、フラクショナルチャネル予約信号を送信することと、送信機によって、少なくとも１つのキャリア上で、現在サブフレームの後の後続のサブフレームにおいて開始するデータを送信することとを行うように構成される。
【００２９】
[0029]  本開示の追加の態様において、装置は、少なくとも１つのプロセッサと、プロセッサに結合されたメモリとを含む。プロセッサは、送信機によって、競合ベース無線周波数スペクトルを利用する少なくとも１つのキャリア上で、成功したＥＣＣＡ検査を検出することと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査と現在サブフレームのサブフレーム境界との間で、フラクショナルチャネル予約信号を送信することと、送信機によって、少なくとも１つのキャリア上で、現在サブフレームの後の後続のサブフレームにおいて開始するチャネル予約信号を送信することと、送信機によって、後続のサブフレーム上で、チャネル予約信号に加えてフレームフォーマットインジケータ信号を送信することとを行うように構成される。
【００３０】
[0030]  本開示の追加の態様において、装置は、少なくとも１つのプロセッサと、プロセッサに結合されたメモリとを含む。プロセッサは、送信機によって、競合ベース無線周波数スペクトルを利用する少なくとも１つのキャリア上で、成功したＥＣＣＡ検査を検出することと、ここにおいて、成功したＥＣＣＡ検査は、現在サブフレーム、現在スロット、または現在シンボルの境界より前に行われ、送信機によって、少なくとも１つのキャリア上で、成功したＥＣＣＡ検査と現在サブフレームのサブフレーム境界との間で、フラクショナルチャネル予約信号を送信することと、送信機によって、現在サブフレームの後の後続のサブフレームにおいて送信機によって受信された１つまたは複数のチャネル状態情報報告の各々を廃棄することとを行うように構成される。
【図面の簡単な説明】
【００３１】
【図１】[0031]  図１は、様々な実施形態に従った、ワイヤレス通信システムの一例を例証する図を指し示す。
【図２Ａ】[0032]  図２Ａは、様々な実施形態に従った、無認可スペクトル中でＬＴＥ（登録商標）を使用するための展開シナリオの例を例証する図を指し示す。
【図２Ｂ】[0033]  図２Ｂは、様々な実施形態に従った、無認可スペクトル中でＬＴＥを使用するための展開シナリオの別の例を例証する図を指し示す。
【図３】[0034]  図３は、様々な実施形態に従った、認可および無認可スペクトル中でＬＴＥをコンカレントに使用するときのキャリアアグリゲーションの一例を例証する図を指し示す。
【図４】[0035]  図４は、本開示の一態様に従って構成された基地局／ｅＮＢおよびＵＥの設計を概念的に例証するブロック図である。
【図５】[0036]  図５は、Ｆ−ＣＵＢＳを送信する送信機を例証するブロック図である。
【図６】[0037]  図６は、Ｆ−ＣＵＢ送信を含む送信ストリームを例証するブロック図である。
【図７】[0038]  図７は、本開示の様々な態様を実装するために実行される、例となるブロックを例証するブロック図である。
【図８】図８は、本開示の様々な態様を実装するために実行される、例となるブロックを例証するブロック図である。
【図９】図９は、本開示の様々な態様を実装するために実行される、例となるブロックを例証するブロック図である。
【図１０】図１０は、本開示の様々な態様を実装するために実行される、例となるブロックを例証するブロック図である。
【図１１】図１１は、本開示の様々な態様を実装するために実行される、例となるブロックを例証するブロック図である。
【図１２】図１２は、本開示の様々な態様を実装するために実行される、例となるブロックを例証するブロック図である。
【詳細な説明】
【００３２】
[0039]  添付の図面に関して以下に示す詳細な説明は、様々な構成を説明することを意図しており、本開示の範囲を限定することを意図するものではない。そうではなく、詳細な説明は、本発明の主題の完全な理解を与えるための具体的な詳細を含む。これらの具体的な詳細は、あらゆるケースにおいて必要とされるとは限らないことと、いくつかの事例において、よく知られている構造および構成要素は提示を明快にするために、ブロック図の形式で差し示されることとが当業者には明らかであろう。
【００３３】
[0040]  事業者は、これまで、セルラーネットワークにおける輻輳の常に増加するレベルを軽減するために、無認可スペクトルを使用するための主要な機構としてＷｉＦｉ（登録商標）を見てきた。しかしながら、無認可スペクトルを含むＬＴＥ／ＬＴＥ−Ａに基づくニューキャリアタイプ（ＮＣＴ：new carrier type）は、キャリアグレードＷｉＦｉに適合し得るので、無認可スペクトルを用いるＬＴＥ／ＬＴＥ−ＡがＷｉＦｉの代替になる。無認可スペクトルを用いるＬＴＥ／ＬＴＥ−Ａは、ＬＴＥ概念を活用し得、無認可スペクトル中での効率的な動作を可能にすることと、規制要件を満たすこととのために、ネットワークまたはネットワークデバイスの物理レイヤ（ＰＨＹ）および媒体アクセス制御（ＭＡＣ）態様に、いくつかの変更を導入し得る。無認可スペクトルは、例えば、６００メガヘルツ（ＭＨｚ）から６ギガヘルツ（ＧＨｚ）までにわたり得る。いくつかのシナリオにおいて、無認可スペクトルを用いるＬＴＥ／ＬＴＥ−Ａは、ＷｉＦｉよりも著しく良好に機能し得る。例えば、全ＷｉＦｉ展開と比較して、または高密度スモールセル展開があるときと比較して、（単一または複数の事業者のための）無認可スペクトル展開を用いる全ＬＴＥ／ＬＴＥ−Ａ、無認可スペクトルを用いるＬＴＥ／ＬＴＥ−Ａは、ＷｉＦｉよりも著しく良好に機能し得る。無認可スペクトルを用いるＬＴＥ／ＬＴＥ−Ａは、無認可スペクトルを用いるＬＴＥ／ＬＴＥ−Ａが（単一または複数の事業者のために）ＷｉＦｉと混合されるときのような他のシナリオにおいて、ＷｉＦｉよりも良好に機能し得る。
【００３４】
[0041]  単一のサービスプロバイダ（ＳＰ）について、無認可スペクトルを用いるＬＴＥ／ＬＴＥ−Ａネットワークは、認可スペクトル上のＬＴＥネットワークと同期しているように構成され得る。しかしながら、複数のＳＰによって所与のチャネル上で展開される無認可スペクトルを用いるＬＴＥ／ＬＴＥ−Ａネットワークは、複数のＳＰにわたって同期しているように構成され得る。上記の特徴の両方を組み込むための１つのアプローチは、所与のＳＰのために、無認可スペクトルを用いないＬＴＥ／ＬＴＥ−Ａネットワークと、無認可スペクトルを用いるＬＴＥ／ＬＴＥ−Ａネットワークとの間で、一定のタイミングオフセットを使用することを含み得る。無認可スペクトルを用いるＬＴＥ／ＬＴＥ−Ａネットワークは、ＳＰの必要に従って、ユニキャストおよび／またはマルチキャストサービスを提供し得る。その上、無認可スペクトルを用いるＬＴＥ／ＬＴＥ−Ａネットワークは、ＬＴＥセルが、アンカーとして働き、無認可スペクトルを用いるＬＴＥ／ＬＴＥ−Ａセルのために、関連するセル情報（例えば、無線フレームタイミング、共通チャネル構成、システムフレーム番号すなわちＳＦＮ等）を提供する、ブートストラップモードで動作し得る。このモードにおいて、無認可スペクトルを用いないＬＴＥ／ＬＴＥ−Ａと、無認可スペクトルを用いるＬＴＥ／ＬＴＥ−Ａとの間に緊密な相互作用があり得る。例えば、ブートストラップモードは、上記で説明された補助ダウンリンク（supplemental downlink）モードとキャリアアグリゲーションモードとをサポートし得る。無認可スペクトルを用いるＬＴＥ／ＬＴＥ−ＡネットワークのＰＨＹ−ＭＡＣレイヤは、無認可スペクトルを用いるＬＴＥ／ＬＴＥ−Ａネットワークが、無認可スペクトルを用いないＬＴＥネットワークとは無関係に動作する、スタンドアロンモードで動作し得る。このケースにおいて、例えば、無認可スペクトルセルを用いる／用いない同じ位置に配置された（co-located）ＬＴＥ／ＬＴＥ−ＡとのＲＬＣレベルアグリゲーションに、あるいは複数のセルおよび／または基地局にわたるマルチフローに基づいて、無認可スペクトルを用いないＬＴＥと、無認可スペクトルを用いるＬＴＥ／ＬＴＥ−Ａとの間に緩い相互作用があり得る。
【００３５】
[0042]  本明細書で説明される技法は、ＬＴＥに限定されず、ＣＤＭＡ、ＴＤＭＡ、ＦＤＭＡ、ＯＦＤＭＡ、ＳＣ−ＦＤＭＡ、および他のシステムのような、様々なワイヤレス通信システムのためにも使用され得る。用語「システム」および「ネットワーク」は、しばしば互換的に使用される。ＣＤＭＡシステムは、ＣＤＭＡ２０００、ユニバーサル地上波無線アクセス（ＵＴＲＡ）等、のような無線技術を実装し得る。ＣＤＭＡ２０００は、ＩＳ−２０００、ＩＳ−９５、およびＩＳ−８５６規格をカバーする。ＩＳ−２０００リリース０およびＡは、通例、ＣＤＭＡ２０００  １Ｘ、１Ｘ、等と呼ばれる。ＩＳ−８５６（ＴＩＡ−８５６）は、通例、ＣＤＭＡ２０００  １ｘＥＶ−ＤＯ、高速パケットデータ（ＨＲＰＤ：High Rate Packet Data）、等と呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））のような無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭのような無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上述のシステムおよび無線技術、ならびに他のシステムおよび無線技術のために使用され得る。しかしながら、以下の説明では、例としてＬＴＥシステムについて説明し、以下の説明の大部分においてＬＴＥ用語が使用されるが、本技法はＬＴＥ適用例以外に適用可能である。
【００３６】
[0043]  よって、以下の説明は、例を提供するものであり、特許請求の範囲に記載された範囲、適用可能性、または構成を限定するものではない。本開示の精神および範囲から逸脱することなく、説明される要素の機能および構成において変更が行われ得る。様々な実施形態は、適宜に様々なプロシージャまたは構成要素を省略、置換、または追加し得る。例えば、説明される方法は、説明される順序とは異なる順序で実行され得、様々なステップが追加、省略、または組み合わせされ得る。また、ある実施形態に関して説明される特徴は、他の実施形態において組み合わせされ得る。
【００３７】
[0044]  最初に図１を参照すれば、図はワイヤレス通信システムまたはネットワーク１００の一例を例証している。システム１００は、基地局（またはセル）１０５、通信デバイス１１５、およびコアネットワーク１３０を含む。基地局１０５は、様々な実施形態においてコアネットワーク１３０または基地局１０５の一部であり得る、基地局コントローラ（図示せず）の制御下で、通信デバイス１１５と通信し得る。基地局１０５は、バックホールリンク１３２を通して、コアネットワーク１３０と、制御情報および／またはユーザデータを通信し得る。実施形態において、基地局１０５は、ワイヤードまたはワイヤレス通信リンクであり得るバックホールリンク１３４を介して、直接的または間接的のいずれかで、互いと通信し得る。システム１００は、複数のキャリア（異なる周波数の波形信号）上での動作をサポートし得る。マルチキャリア送信機は、複数のキャリア上で同時に、変調された信号を送信することができる。例えば、各通信リンク１２５は、上記で説明された様々な無線技術に従って変調されたマルチキャリア信号であり得る。各変調された信号は、異なるキャリア上で送られ得、制御情報（例えば、基準信号、制御チャネル、等）、オーバーヘッド情報、データ、等を搬送し得る。
【００３８】
[0045]  基地局１０５は、１つまたは複数の基地局アンテナを介して、デバイス１１５とワイヤレス通信し得る。基地局１０５サイトの各々は、それぞれの地理的エリア１１０について、通信カバレージを提供し得る。いくつかの実施形態において、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれ得る。基地局のためのカバレージエリア１１０は、カバレージエリアの一部分のみを構成するセクタ（図示せず）に分割され得る。システム１００は、異なるタイプの基地局１０５（例えば、マクロ基地局、ミクロ基地局、および／またはピコ基地局）を含み得る。異なる技術に対する重複するカバレージエリアがあり得る。
【００３９】
[0046]  いくつかの実施形態において、システム１００は、１つまたは複数の無認可スペクトル動作モードまたは展開シナリオをサポートするＬＴＥ／ＬＴＥ−Ａネットワークである。他の実施形態において、システム１００は、無認可スペクトルと、無認可スペクトルを用いるＬＴＥ／ＬＴＥ−Ａとは異なるアクセス技術とを使用する、または認可スペクトルと、ＬＴＥ／ＬＴＥ−Ａとは異なるアクセス技術とを使用するワイヤレス通信をサポートし得る。用語発展型ノードＢ（ｅＮＢ）およびユーザ機器（ＵＥ）は、一般的に、それぞれ、基地局１０５およびデバイス１１５を説明するために使用され得る。システム１００は、異なるタイプのｅＮＢが様々な地理的領域にカバレージを提供する、無認可スペクトルを用いるまたは用いない異種ＬＴＥ／ＬＴＥ−Ａネットワークであり得る。例えば、各ｅＮＢ１０５は、通信カバレージをマクロセル、ピコセル、フェムトセル、および／または他のタイプのセルに対して提供し得る。ピコセル、フェムトセル、および／または他のタイプのセルのようなスモールセルは低電力ノードすなわちＬＰＮを含み得る。マクロセルは、一般的に、比較的大きい地理的エリア（例えば、半径数キロメートル）をカバーし、ネットワークプロバイダとのサービスに加入しているＵＥによる無制限アクセスを許容し得る。ピコセルは、一般的に、比較的小さい地理的エリアをカバーすることになり、ネットワークプロバイダとのサービスに加入しているＵＥによる無制限アクセスを許容し得る。また、フェムトセルは、一般的に、比較的小さい地理的エリア（例えば、自宅）をカバーすることになり、無制限アクセスに加えて、フェムトセルとの関連を有するＵＥ（例えば、限定加入者グループ（ＣＳＧ：closed subscriber group）中のＵＥ、自宅内のユーザのためのＵＥ、およびそのようなもの）による制限付きアクセスをも提供し得る。マクロセルのためのｅＮＢは、マクロｅＮＢと呼ばれ得る。ピコセルのためのｅＮＢは、ピコｅＮＢと呼ばれ得る。また、フェムトセルのためのｅＮＢは、フェムトｅＮＢまたはホームｅＮＢと呼ばれ得る。ｅＮＢは、１つまたは複数の（例えば、２つ、３つ、４つ、およびそのようなものの）セルをサポートし得る。
【００４０】
[0047]  コアネットワーク１３０は、バックホール１３２（例えば、Ｓ１、等）を介して、ｅＮＢ１０５と通信し得る。ｅＮＢ１０５はまた、バックホールリンク１３４（例えば、Ｘ２、等）を介して、および／またはバックホールリンク１３２を介して（例えば、コアネットワーク１３０を通して）、直接または間接的に互いに通信し得る。システム１００は、同期動作または非同期動作をサポートし得る。同期動作について、ｅＮＢは同様のフレームタイミングおよび／またはゲーティングタイミングを有し得、異なるｅＮＢからの送信はおおよそ時間的に整合され得る。非同期動作について、ｅＮＢは異なるフレームタイミングおよび／またはゲーティングタイミングを有し得、異なるｅＮＢからの送信は時間的に整合されないことがある。本明細書で説明される技法は、同期動作または非同期動作のいずれかのために使用され得る。
【００４１】
[0048]  ＵＥ１１５はシステム１００全体にわたって分散され、各ＵＥは固定または移動であり得る。ＵＥ１１５はまた、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれる。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、またはそのようなものであり得る。ＵＥは、マクロｅＮＢ、ピコｅＮＢ、フェムトｅＮＢ、リレー、またはそのようなものと通信することが可能であり得る。
【００４２】
[0049]  システム１００中に差し示されている通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信はまた、順方向リンク送信と呼ばれる得、アップリンク送信は逆方向リンク送信と呼ばれ得る。ダウンリンク送信は、認可スペクトル（例えば、ＬＴＥ）、無認可スペクトル（例えば、無認可スペクトルを用いるＬＴＥ／ＬＴＥ−Ａ）、またはその両方（無認可スペクトルを用いる／用いないＬＴＥ／ＬＴＥ−Ａ）を使用して行われ得る。同様に、アップリンク送信は、認可スペクトル（例えば、ＬＴＥ）、無認可スペクトル（例えば、無認可スペクトルを用いるＬＴＥ／ＬＴＥ−Ａ）、またはその両方（無認可スペクトルを用いる／用いないＬＴＥ／ＬＴＥ−Ａ）を使用して行われ得る。
【００４３】
[0050]  システム１００のいくつかの実施形態において、認可スペクトル中のＬＴＥダウンリンク容量が無認可スペクトルにオフロードされ得る補助ダウンリンク（ＳＤＬ）モードと、ＬＴＥダウンリンク容量とＬＴＥアップリンク容量の両方が認可スペクトルから無認可スペクトルにオフロードされ得るキャリアアグリゲーションモードと、基地局（例えば、ｅＮＢ）とＵＥとの間のＬＴＥダウンリンクおよびアップリンク通信が無認可スペクトル中で行われ得るスタンドアロンモードとを含む、無認可スペクトルを用いるＬＴＥ／ＬＴＥ−Ａのための様々な展開シナリオがサポートされ得る。基地局１０５ならびにＵＥ１１５は、これらまたは同様の動作モードの内の１つまたは複数をサポートし得る。無認可スペクトル中のＬＴＥダウンリンク送信のために通信リンク１２５中でＯＦＤＭＡ通信信号が使用され得、無認可スペクトル中のＬＴＥアップリンク送信のために通信リンク１２５中でＳＣ−ＦＤＭＡ通信信号が使用され得る。システム１００のようなシステムにおける、無認可スペクトル展開シナリオまたは動作モードを用いるＬＴＥ／ＬＴＥ−Ａの実装形態に関するさらなる詳細、ならびに無認可スペクトルを用いるＬＴＥ／ＬＴＥ−Ａの動作に関係する他の特徴および機能が、図２Ａ〜図１２を参照しながら以下に提供される。
【００４４】
[0051]  次に図２Ａに転ずると、図２００は、無認可スペクトルを用いるＬＴＥ／ＬＴＥ−ＡをサポートするＬＴＥネットワークのための補助ダウンリンクモードおよびキャリアアグリゲーションモードの例を差し示している。図形２００は図１のシステム１００の部分の一例であり得る。その上、基地局１０５−ａは図１の基地局１０５の一例であり得、ＵＥ１１５−ａは図１のＵＥ１１５の例であり得る。
【００４５】
[0052]  図形２００中の補助ダウンリンクモードの例において、基地局１０５−ａは、ダウンリンク２０５を使用して、ＵＥ１１５−ａにＯＦＤＭＡ通信信号を送信し得る。ダウンリンク２０５は無認可スペクトル中の周波数Ｆ１に関連付けられている。基地局１０５−ａは、双方向リンク２１０を使用して、同じＵＥ１１５−ａにＯＦＤＭＡ通信信号を送信し得、双方向リンク２１０を使用して、そのＵＥ１１５−ａからＳＣ−ＦＤＭＡ通信信号を受信し得る。双方向リンク２１０は、認可スペクトル中の周波数Ｆ４に関連付けられている。無認可スペクトル中のダウンリンク２０５および認可スペクトル中の双方向リンク２１０は、コンカレントに動作し得る。ダウンリンク２０５は、ダウンリンク容量オフロードを基地局１０５−ａに提供し得る。いくつかの実施形態において、ダウンリンク２０５は、（例えば、１つのＵＥにアドレス指定される）ユニキャストサービスのために、または（例えば、いくつかのＵＥにアドレス指定される）マルチキャストサービスのために使用され得る。このシナリオは、認可スペクトルを使用し、トラフィックおよび／またはシグナリング輻輳の一部を軽減する必要がある、任意のサービスプロバイダ（例えば、旧来のモバイルネットワーク事業者すなわちＭＮＯ）に関して発生し得る。
【００４６】
[0053]  図形２００中のキャリアアグリゲーションモードの一例において、基地局１０５−ａは、双方向リンク２１５を使用して、ＵＥ１１５−ａにＯＦＤＭＡ通信信号を送信し得、双方向リンク２１５を使用して、同じＵＥ１１５−ａからＳＣ−ＦＤＭＡ通信信号を受信し得る。双方向リンク２１５は、無認可スペクトル中の周波数Ｆ１に関連付けられる。基地局１０５−ａはまた、双方向リンク２２０を使用して、同じＵＥ１１５−ａにＯＦＤＭＡ通信信号を送信し得、双方向リンク２２０を使用して、同じＵＥ１１５−ａからＳＣ−ＦＤＭＡ通信信号を受信し得る。双方向リンク２２０は、認可スペクトル中の周波数Ｆ２に関連付けられている。双方向リンク２１５は、ダウンリンクおよびアップリンク容量オフロードを基地局１０５−ａに提供し得る。上記で説明された補助ダウンリンクのように、このシナリオは、認可スペクトルを使用し、トラフィックおよび／またはシグナリング輻輳の一部を軽減する必要がある、任意のサービスプロバイダ（例えば、ＭＮＯ）に関して発生し得る。
【００４７】
[0054]  図形２００中のキャリアアグリゲーションモードの別の例において、基地局１０５−ａは、双方向リンク２２５を使用して、ＵＥ１１５−ａにＯＦＤＭＡ通信信号を送信し得、双方向リンク２２５を使用して、同じＵＥ１１５−ａからＳＣ−ＦＤＭＡ通信信号を受信し得る。双方向リンク２２５は、無認可スペクトル中の周波数Ｆ３に関連付けられている。基地局１０５−ａはまた、双方向リンク２３０を使用して、同じＵＥ１１５−ａにＯＦＤＭＡ通信信号を送信し得、双方向リンク２３０を使用して、同じＵＥ１１５−ａからＳＣ−ＦＤＭＡ通信信号を受信し得る。双方向リンク２３０は、認可スペクトル中の周波数Ｆ２に関連付けられている。双方向リンク２２５は、ダウンリンクおよびアップリンク容量オフロードを基地局１０５−ａに提供し得る。この例および上記で提供された例は、例証の目的で提示され、容量オフロードのために、無認可スペクトルを用いるまたは用いないＬＴＥ／ＬＴＥ−Ａを組み合わせする他の同様の動作モードまたは展開シナリオがあり得る。
【００４８】
[0055]  上記で説明されたように、無認可スペクトルを用いるＬＴＥ／ＬＴＥ−Ａを使用することによってオファーされる容量オフロードから恩恵を受け得る典型的なサービスプロバイダは、ＬＴＥスペクトルを用いる旧来のＭＮＯである。これらのサービスプロバイダについて、動作構成は、認可スペクトル上のＬＴＥ１次コンポーネントキャリア（ＰＣＣ：primary component carrier）と無認可スペクトル上のＬＴＥ２次コンポーネントキャリア（ＳＣＣ：secondary component carrier）とを使用するブートストラップモード（例えば、補助ダウンリンク、キャリアアグリゲーション）を含み得る。
【００４９】
[0056]  補助ダウンリンクモードにおいて、無認可スペクトルを用いるＬＴＥ／ＬＴＥ−Ａのための制御は、ＬＴＥアップリンク（例えば、双方向リンク２１０のアップリンク部分）上でトランスポートされ得る。ダウンリンク容量オフロードを提供する理由の１つは、データ需要が大部分はダウンリンク消費によって引き起こされるからである。その上、このモードにおいて、ＵＥが無認可スペクトル中で送信していないので、規制上の影響がないかも知れない。ＵＥ上でリッスンビフォアトーク（ＬＢＴ：listen-before-talk）またはキャリア検知多元接続（ＣＳＭＡ：carrier sense multiple access）要件を実装する必要はない。しかしながら、ＬＢＴは、例えば、周期（例えば、１０ミリ秒ごとの）クリアチャネルアセスメント（ＣＣＡ：clear channel assessment）および／または無線フレーム境界に整合されたグラブアンドリリンキッシュ（grab-and-relinquish）機構を使用することによって、基地局（例えば、ｅＮＢ）上で実装され得る。
【００５０】
[0057]  キャリアアグリゲーションモードにおいて、ＬＴＥ（例えば、双方向リンク２１０、２２０、および２３０）においてデータおよび制御が通信され得、無認可スペクトルを用いるＬＴＥ／ＬＴＥ−Ａ（例えば、双方向リンク２１５および２２５）においてデータが通信され得る。無認可スペクトルを用いるＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに入り得る。
【００５１】
[0058]  図２Ｂは、無認可スペクトルを用いるＬＴＥ／ＬＴＥ−Ａのためのスタンドアロンモードの一例を例証する図形２００−ａを差し示す。図形２００−ａは、図１のシステム１００の部分の一例であり得る。その上、基地局１０５−ｂは、図１の基地局１０５および図２Ａの基地局１０５−ａの一例であり得、ＵＥ１１５−ｂは、図１のＵＥ１１５および図２ＡのＵＥ１１５−ａの一例であり得る。
【００５２】
[0059]  図形２００−ａ中のスタンドアロンモードの例において、基地局１０５−ｂは、双方向リンク２４０を使用して、ＵＥ１１５−ｂにＯＦＤＭＡ通信信号を送信し得、双方向リンク２４０を使用して、ＵＥ１１５−ｂからＳＣ−ＦＤＭＡ通信信号を受信し得る。双方向リンク２４０は、図２Ａに関して上記で説明された無認可スペクトル中の周波数Ｆ３に関連付けられている。スタンドアロンモードは、スタジアム内アクセス（例えば、ユニキャスト、マルチキャスト）のような、非旧来型ワイヤレスアクセスシナリオにおいて使用され得る。この動作モードのための典型的なサービスプロバイダは、スタジアム所有者、ケーブル会社、イベント主催者、ホテル、企業、および認可スペクトルを有しない大企業であり得る。これらのサービスプロバイダの場合、スタンドアロンモードのための動作構成は無認可スペクトル上のＰＣＣを使用し得る。その上、ＬＢＴが基地局とＵＥの両方上で実装され得る。
【００５３】
[0060]  次に図３に転ずると、図形３００は、様々な実施形態による、認可および無認可スペクトル中でＬＴＥをコンカレントに使用するときのキャリアアグリゲーションの一例を例証している。図形３００中のキャリアアグリゲーション方式は、図２Ａに関して上記で説明されたハイブリッドＦＤＤ−ＴＤＤキャリアアグリゲーションに対応し得る。このタイプのキャリアアグリゲーションは、図１のシステム１００の少なくとも一部分において使用され得る。その上、このタイプのキャリアアグリゲーションは、それぞれ図１および図２Ａの基地局１０５および１０５−ａにおいて、および／またはそれぞれ図１および図２ＡのＵＥ１１５および１１５−ａにおいて使用され得る。
【００５４】
[0061]  この例において、ＦＤＤ（ＦＤＤ−ＬＴＥ）がダウンリンク中でＬＴＥに関して実行され得、第１のＴＤＤ（ＴＤＤ１）が、無認可スペクトルを用いるＬＴＥ／ＬＴＥ−Ａに関して実行され得、第２のＴＤＤ（ＴＤＤ２）が認可スペクトルを用いるＬＴＥに関して実行され得、別のＦＤＤ（ＦＤＤ−ＬＴＥ）が認可スペクトルを用いるアップリンク中でＬＴＥに関して実行され得る。ＴＤＤ１は６：４のＤＬ：ＵＬ比を生じ、ＴＤＤ２についての比は７：３である。時間スケール上で、異なる有効ＤＬ：ＵＬ比は、３：１、１：３、２：２、３：１、２：２、および３：１である。この例は、例証の目的で提示され、無認可スペクトルを用いるまたは用いないＬＴＥ／ＬＴＥ−Ａの動作を組み合わせする他のキャリアアグリゲーション方式があり得る。
【００５５】
[0062]  図４は、図１中の基地局／ｅＮＢの内の１つであり得る基地局／ｅＮＢ１０５および図１中のＵＥの内の１つであり得るＵＥ１１５の設計のブロック図を差し示す。ｅＮＢ１０５はアンテナ４３４ａ〜４３４ｔを装備し得、ＵＥ１１５はアンテナ４５２ａ〜４５２ｒを装備し得る。ｅＮＢ１０５において、送信プロセッサ４２０は、データソース４１２からデータを受け取り、コントローラ／プロセッサ４４０から制御情報を受け取り得る。制御情報は、物理ブロードキャストチャネル（ＰＢＣＨ：physical broadcast channel）、物理制御フォーマットインジケータチャネル（ＰＣＦＩＣＨ：physical control format indicator channel）、物理ハイブリッド自動再送要求インジケータチャネル（ＰＨＩＣＨ：physical hybrid automatic repeat request indicator channel）、物理ダウンリンク制御チャネル（ＰＤＣＣＨ：physical downlink control channel）、等のためのものであり得る。データは、物理ダウンリンク共有チャネル（ＰＤＳＣＨ：physical downlink shared channel）、等のためのものであり得る。送信プロセッサ４２０は、データシンボルおよび制御シンボルを取得するために、それぞれデータおよび制御情報を処理（例えば、符号化およびシンボルマッピング）し得る。送信プロセッサ４２０はまた、例えば、１次同期信号（ＰＳＳ：primary synchronization signal）、２次同期信号（ＳＳＳ：secondary synchronization signal）、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を実行し得、出力シンボルストリームを変調器（ＭＯＤ）４３２ａ〜４３２ｔに提供し得る。各変調器４３２は、出力サンプルストリームを取得するために、（例えば、ＯＦＤＭなどのために）それぞれの出力シンボルストリームを処理し得る。各変調器４３２はさらに、ダウンリンク信号を取得するために、出力サンプルストリームを処理（例えば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００５６】
[0063]  ＵＥ１１５において、アンテナ４５２ａ〜４５２ｒは、ｅＮＢ１０５からダウンリンク信号を受信し得、それぞれ復調器（ＤＥＭＯＤ）４５４ａ〜４５４ｒに受信信号を提供し得る。各復調器４５４は、入力サンプルを取得するために、それぞれの受信信号を調整（例えば、フィルタ処理、増幅、ダウンコンバート、およびデジタル化）し得る。各復調器４５４は、さらに、受信シンボルを取得するために、（例えば、ＯＦＤＭなどのために）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実行し、検出されたシンボルを提供し得る。受信プロセッサ４５８は、検出シンボルを処理（例えば、復調、デインターリーブ、および復号）し、ＵＥ１１５のための復号されたデータをデータシンク４６０に与え、復号された制御情報をコントローラ／プロセッサ４８０に提供し得る。
【００５７】
[0064]  アップリンク上で、ＵＥ１１５において、送信プロセッサ４６４は、データソース４６２から（例えば、物理アップリンク共有チャネル（ＰＵＳＣＨ：physical uplink shared channel）のための）データを受け取り、処理し得、コントローラ／プロセッサ４８０から（例えば、物理アップリンク制御チャネル（ＰＵＣＣＨ：physical uplink control channel）のための）制御情報を受け取り、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（例えば、ＳＣ−ＦＤＭ、等のために）変調器４５４ａ〜４５４ｒによって処理され、ｅＮＢ１０５に送信され得る。ｅＮＢ１０５において、ＵＥ１１５からのアップリンク信号は、アンテナ４３４によって受信され、復調器４３２によって処理され、適用可能な場合はＭＩＭＯ検出器４３６によって検出され、ＵＥ１１５によって送られ復号されたデータと制御情報とを取得するために、受信プロセッサ４３８によってさらに処理され得る。プロセッサ４３８は、復号されたデータをデータシンク４３９に提供し、復号された制御情報をコントローラ／プロセッサ４４０に提供し得る。
【００５８】
[0065]  コントローラ／プロセッサ４４０および４８０は、それぞれ、ｅＮＢ１０５およびＵＥ１１５における動作を指示し得る。ｅＮＢ１０５におけるコントローラ／プロセッサ４４０ならびに／あるいは他のプロセッサおよびモジュールは、本明細書で説明される技法のための様々なプロセスを実行するか、またはその実行を指示し得る。ＵＥ１１５におけるコントローラ／プロセッサ４８０および／または他のプロセッサおよびモジュールまたは、図７〜図１２に例証される機能ブロックを、および／または本明細書で説明される技法のための他のプロセスを実行するか、またはその実行を指示し得る。メモリ４４２および４８２は、それぞれ、ｅＮＢ１０５およびＵＥ１１５のためのデータおよびプログラムコードを記憶し得る。スケジューラ４４４は、ダウンリンク上および／またはアップリンク上でのデータ送信のためにＵＥをスケジュールし得る。
【００５９】
[0066]  前記で注記したように、認可無線周波数スペクトル帯域を使用するセルラーネットワークにおけるデータトラフィックの増加とともに、少なくとも一部のデータトラフィックの、無認可周波数帯域を含む競合ベース無線周波数スペクトルへのオフローディングは、セルラー事業者（例えば、パブリックランドモバイルネットワーク（ＰＬＭＮ）および／またはＬＴＥ／ＬＴＥ−Ａネットワークのような、セルラーネットワークを画定する基地局の協調セットの事業者）に拡張データ送信容量のための機会を提供し得る。競合ベース周波数スペクトル帯域へのアクセスを獲得して、競合ベース周波数スペクトル帯域上で通信するより前に、送信装置は、いくつかの例において、競合ベース無線周波数スペクトル帯域へのアクセスを獲得するために、ＬＢＴプロシージャを実行し得る。注記したように、そのようなＬＢＴプロシージャは、無認可無線周波数スペクトル帯域のチャネルが利用可能であるかどうかを決定するために、ＣＣＡプロシージャを実行することを含み得る。追加の例において、複数のＣＣＡプロシージャを含む拡張ＣＣＡ（ＥＣＣＡ）プロシージャが実行され得る。チャネルが利用可能であると決定されるとき、送信装置は、利用可能なチャネルを含むキャリアを介して通信し得る。送信装置はまた、他のＵＥおよび／または基地局に利用可能なチャネルの使用を示すために、ＣＵＢＳをブロードキャストし得る。
【００６０】
[0067]  ＥＣＣＡプロシージャは、基礎をなす通信タイミングと必ずしも同期しているとは限らない。それゆえ、送信機は、サブフレーム、スロット、またはシンボル境界において成功したＥＣＣＡを正確に検出しないことがある。成功したＥＣＣＡが特定のサブフレーム、スロット、またはシンボルの中間で検出されたとき、送信機は、チャネルを予約するために、サブフレーム、スロット、またはシンボルの中間で、ＣＵＢＳのような、チャネル予約信号を直ちに送信し始め得る。この部分的なＣＵＢＳは、フラクショナルＣＵＢＳ（Ｆ−ＣＵＢＳ：fractional-CUBS）と呼ばれ得る。しかしながら、Ｆ−ＣＵＢＳを送信するとき、送信機は、Ｆ−ＣＵＢＳのために、後にくるサブフレーム、スロット、またはシンボルにおいて送信される通常ＣＵＢＳのためのものと同じシグナリングシーケンスを使用する。この信号再利用のために、受信機がＦ−ＣＵＢＳを検出し、それを通常ＣＵＢＳとして復号する、無視できない確率があり得、これは、受信機において望ましくない挙動を生じ得る。例えば、Ｆ−ＣＵＢＳをＣＵＢＳとして間違って識別した受信機は、後続のサブフレーム、スロット、またはシンボルがデータ送信を含んでいることを予想する。その上、ＵＥ受信機について、ＵＥは、Ｆ−ＣＵＢＳサブフレーム、スロット、またはシンボルにおいて、拡張フレームフォーマッティングインジケータを復号することを試み得る。フレームフォーマッティングインジケータは、拡張フレームフォーマッティングインジケータチャネル（ＥＦＦＩＣＨ：enhanced frame formatting indicator channel）においてシグナリングされ得、またはそれは、何らかの他のダウンリンクレイヤ１チャネルにおいてシグナリングされ得る。拡張フレームフォーマットインジケータは、後にくるフレームにおけるアップリンクおよびダウンリンクサブフレーム構成の識別を含むフレーム構成インジケータである。よって、ＵＥ受信機は、送信フレーム全体のためのアップリンク／ダウンリンク構成を間違って決定し得る。
【００６１】
[0068]  図５は、Ｆ−ＣＵＢＳ５０３を送信する送信機５００を例証するブロック図である。送信機５００は、送信ストリーム５０上の通信に参加する。アクティビティ状態グラフ５１は、送信機５００がいつオンであり、オフであるかを例証する。ＥＣＣＡプロセス中に、送信機５００はオフである。しかしながら、時間５０１において、ＥＣＣＡが成功したと検出され、送信機５００がＦ−ＣＵＢＳ５０３を送信し始める。時間５０１は、送信ストリーム５０のサブフレーム５０２内に入り、それはサブフレーム５０２の中間にある。よって、サブフレーム５０２は、送信機５００がオフであり、ＥＣＣＡを実行しているとき、ミュートされた期間またはヌリング期間５０４を含み、送信機５００がオンであり、Ｆ−ＣＵＢＳ５０３を送信しているとき、アクティブ期間を含む。例えば、送信機５００は、サブフレーム５０２の残りの６７μｓの間、Ｆ−ＣＵＢＳ５０３を送信していることがあり得る。よって、送信機５００は、サブフレーム５０３上で６７μｓを有するＦ−ＣＵＢＳ５０３を送信し、サブフレーム５０５上で完全な１４シンボルＣＵＢＳを送信する。受信機は、送信機５００がＦ−ＣＵＢＳ５０３を実際に送信しているとき、サブフレーム５０２においてＣＵＢＳを検出する極めて高い確率を有する。Ｆ−ＣＵＢＳ５０３の持続時間に応じて、ＵＥ受信機は、正しく、または、間違って、拡張フレームフォーマットインジケータを復号し得る。
【００６２】
[0069]  送信機５００は、ダウンリンクデータ送信のために準備するタイプの基地局またはアクセスポイントであり得、あるいはアップリンクデータ送信のために準備するＵＥであり得ることに留意されたい。そのような競合ベースシステムにおいて、送信エンティティは、それ自体の送信のためにキャリアを予約する前に、何らかの特定の競合ベースキャリアが空いているかどうかを最初に決定する。
【００６３】
[0070]  図６は、Ｆ−ＣＵＢｓ送信を含む送信ストリーム６００を例証するブロック図である。基地局６０およびＵＥ６１は、送信ストリーム６００上の通信に参加する。ダウンリンク送信において、基地局６０は、ＥＣＣＡプロシージャを実行し、サブフレーム９の時間６０２において、成功したＥＣＣＡを検出する。ＥＣＣＡヌリング期間６０１中に、基地局６０の送信機はオフであろう。基地局６０は、次いで、サブフレーム９とサブフレーム０との間のサブフレーム境界６０３までチャネルを予約するために、時間６０２においてＦ−ＣＵＢＳを送信し始める。サブフレーム０において、基地局６０はＣＵＢＳを送信し始める。例証された例において、基地局６０はサブフレーム０上で通常ＣＵＢＳを送信している。しかしながら、ＵＥ６１は、時間６０２とサブフレーム境界６０３との間で送信されたＦ−ＣＵＢＳが通常ＣＵＢＳであると間違って決定し得、それゆえ、拡張共通基準信号（ｅＣＲＳ：enhanced common reference signal）およびデータが、サブフレーム０上で送信されることを予想する。ｅＣＲＳの送信上の間違ったアラームは、ＵＥ６１から基地局６０へのＣＱＩ報告に影響を及ぼす。ＰＤＣＣＨ送信上の間違ったアラームも、ＵＥ６１におけるＰＤＳＣＨ検出および復号性能に影響を及ぼす。その上、前述のように、拡張フレームフォーマットインジケータ上の復号エラーは、ダウンリンク性能およびアップリンク性能の両方に影響を及ぼす。例えば、ＵＥ６１が、実際には、後続のサブフレームがダウンリンクサブフレームとしてスケジュールされているときに、後続のサブフレームがアップリンクサブフレームであると信じている場合、アップリンク送信は、スケジュールされたダウンリンク送信との干渉を生じせしめ得るか、または、基地局６０がダウンリンク送信のために成功したＣＣＡまたはＥＣＣＡを有することを妨げ得る。ダウンリンク送信も、ＵＥ６１がＥＦＦＩＣＨを間違って復号したとき、同様にしてアップリンク送信に対する干渉を生じせしめ得る。
【００６４】
【表１】
2020017984.tif 000003
【００６５】
[0071]  表１は、異なるヌリング期間にわたるＦ−ＣＵＢＳ信号の誤検出のグラフを表す。ヌリング期間（例えば、ヌリング期間５０４（図５）およびＥＣＣＡヌリング期間６０１（図６））は、送信機がオフであり、ＥＣＣＡプロシージャを実行している、サブフレームの部分である。表１のグラフに従えば、検出されたＦ−ＣＵＢＳからＣＵＢＳを間違って識別するささいではない間違ったアラームは、１０％のみのＣＵＢＳエネルギーの場合（サブフレームの９０％がヌリング期間中の場合）でも発生する。ＣＵＢＳまたはＦ−ＣＵＢＳが、一般的に、ＣＵＢＳまたはＦ−ＣＵＢＳ送信においてＮ個（例えば、Ｎ＝３、４、５）のリソース要素（ＲＥ）の内の１つを占有するので、間違ったアラームレートは、Ｆ−ＣＵＢＳが時間領域において循環シフトされた場合であっても、例えば、サンプルの半数（例えば、１０２４＋Ｍ、ここで、例えば、Ｍ＝７２）まで循環シフトされた場合であっても、明らかに改善しない。ＣＵＢＳにおけるＲＥ占有のために、ＣＵＢＳおよびＦ−ＣＵＢＳ送信を有する時間領域の同相／直角位相サンプル（Ｉ／Ｑ）は繰り返しを有する。そのような繰り返しは、限られた探索ウィンドウを使用しても、所与のタイミングウィンドウにおいて無視できないピークエネルギーを生じ得る。よって、間違ったアラームＣＵＢＳ検出は、時間シフトされたＣＵＢＳがＦ−ＣＵＢＳ送信のために使用されたときには、限られたウィンドウ探索の場合でも観測され得る。本開示の様々な態様は、Ｆ−ＣＵＢＳ送信からのＣＵＢＳの誤検出のための確率を低減または除去することに向けられている。
【００６６】
[0072]  図７は、本開示の一態様を実装するために実行される、例となるブロックを例証するブロック図である。ブロック７００において、送信機は、現在サブフレーム、現在スロット、または現在シンボルのサブフレーム、スロットまたはシンボル境界より前に、競合ベースキャリア上で、成功したＥＣＣＡ検査を検出する。上記で例証されたように、ＥＣＣＡは、送信機がＥＣＣＡプロセス中でオフであるサブフレームの中間で成功が検出される。送信機は、サブフレーム境界より前に、成功したＥＣＣＡを検出するために、成功したＥＣＣＡのタイミングを識別し、このタイミングを現在サブフレームタイミングと比較し得る。
【００６７】
[0073]  ブロック７０１において、送信機は、現在サブフレームの残りの間、Ｆ−ＣＵＢＳのようなフラクショナルチャネル予約信号を送信し、ここにおいて、フラクショナルチャネル予約信号は、第１のシーケンスを使用して生成される。ＣＵＢＳ送信は、知られているＣＵＢＳシーケンスを使用して生成される。ＣＵＢＳシーケンスは、セルＩＤ、パブリックランドモバイル番号（ＰＬＭＮ：public land mobile number）ＩＤまたはその両方の関数であり得る。ブロック７０１の１つの動作例において、送信機は、第１のシーケンスを使用してＦ−ＣＵＢＳを生成する。
【００６８】
[0074]  ブロック７０２において、送信機は、後続のサブフレームにおいて開始するチャネル予約信号を送信し、ここにおいて、チャネル予約信号は、第１のシーケンスとは異なる第２のシーケンスを使用して生成される。そのような例となる動作において、送信機は、Ｆ−ＣＵＢＳ送信とは異なるＣＵＢＳシーケンスを使用して、通常ＣＵＢＳ送信を生成する。よって、例となる態様における受信機エンティティは、信号の各々が、異なるシーケンスを使用して生成されるので、Ｆ−ＣＵＢＳをＣＵＢＳと区別することが可能であり得る。
【００６９】
[0075]  本開示の様々な態様において、第２のシーケンスは、第１のシーケンスの導出されたバージョンであり得る。第１のシーケンスから第２のシーケンスを導出することは、送信機が、別のシーケンスを生成および記憶する代わりに、オンザフライで第１のシーケンスから第２のシーケンスを導出することができるので、実装の複雑さを低減する。例えば、Ｆ−ＣＵＢＳは、ＣＵＢＳシーケンスの反転順序として導出されたシーケンスであり得る。そのような反転順序シーケンスは、標準ＣＵＢＳ送信に関して良好な相互相関を生じ得る。
【００７０】
[0076]  別の例示的な態様において、Ｆ−ＣＵＢＳが、ＣＵＢＳから直交成分を取り、それらをＦ−ＣＵＢＳのための同相成分として使用しながら、ＣＵＢＳから同相成分を取り、それらを直交成分として使用するように、Ｆ−ＣＵＢＳは、ＣＵＢＳシーケンスの反転同相／直角位相（ＩＱ）として導出されたシーケンスを使用し得る。また別の例となる態様において、Ｆ−ＣＵＢＳは、他のシーケンスを用いて乗算された元のＣＵＢＳシーケンスの積として導出されるシーケンスを使用し得、ここで、他のシーケンスは容易に実装され得るものである。例えば、他のシーケンスは、ランダム位相をもつシーケンスまたは「＋＋−−＋＋−−．．．」などの確定的シーケンスであり得、それは、限られた複雑さでランタイムにおいて容易に生成され得る。別の例において、「＋＋−−＋＋−−．．．」の確定的シーケンスを用いて、送信機は、２つのサンプルおきにＩＱサンプルの符号を反転させるにすぎない。
【００７１】
[0077]  追加的に、Ｆ−ＣＵＢＳを生成するために使用されるシーケンスは、標準ＣＵＢＳを生成するために使用されるシーケンスに対して、まったく異なるか、または直交であり得る。本開示の態様は、異なるＦ−ＣＵＢＳシーケンスとＣＵＢＳシーケンスとの間の何らかの特定の関係に限定されない。
【００７２】
[0078]  さらに、図７に例証されている態様に関して、異なるシーケンスの結果として複雑さが付加され得ることに留意されたい。例えば、送信機は、今度は、アイドル状態から第１のシーケンスをもつＦ−ＣＵＢＳに切り替わり、異なるシーケンスをもつＣＵＢＳ送信に切り替わり、次いでデータの送信に切り替わる。
【００７３】
[0079]  図８は、本開示の追加の態様を実装するために実行される、例となるブロックを例証するブロック図である。ブロック８００において、送信機は、現在サブフレーム、現在スロット、または現在シンボルの境界より前に、競合ベースキャリア上で、成功したＥＣＣＡ検査を検出する。上記で例証されたように、ＥＣＣＡは、送信機がＥＣＣＡプロセス中でオフであるサブフレームの中間で成功が検出される。
【００７４】
[0080]  ブロック８０１において、送信機は、後続のサブフレームにおいて開始するキャリア上でのチャネル予約信号を送信する。例となる態様において、送信機は、Ｆ−ＣＵＢＳをまったく送信しない。代わりに、送信機は、成功したＥＣＣＡが前のサブフレーム、スロット、シンボルの中間検出された時間から、次のサブフレームの開始までアイドルにとどまる。次のサブフレームの開始において、送信機は、ＣＵＢＳ送信のような、通常チャネル予約信号を送信する。
【００７５】
[0081]  図８の例となる態様の追加の実装形態において、送信機は、次のサブフレームにおいてＣＵＢＳを送信する前に、ＣＣＡ検査を最初に実行し得る。代替的に、ＣＣＡ検査は、アイドル期間が特定の所定のしきい値を超えるときにのみ実行され得る。そのような態様において、送信機は、アイドル期間をしきい値と比較し、アイドル時間がしきい値を超えた場合のみ、ＣＣＡ検査を実行する。
【００７６】
[0082]  図８に例証されている例となる態様において、送信機は、直ちにＦ−ＣＵＢＳを送信し始めないことによって、チャネルを失う危険を冒し得る。しかしながら、Ｆ−ＣＵＢＳをまったく送信しないことによって、受信機が受信されたＦ−ＣＵＢＳからＣＵＢＳを誤検出する危険は除去される。
【００７７】
[0083]  図９は、本開示の一態様を実装するために実行される、例となるブロックを例証するブロック図である。ブロック９００において、ＵＥ受信機は、チャネル予約信号について最初および後続のサブフレームを監視する。例えば、ＵＥは、フレームの最後のサブフレーム（例えば、サブフレーム９）の最後のシンボル（例えば、シンボル１３）において、および後続のフレームの最初のサブフレーム（例えば、サブフレーム０）の最初のシンボル（シンボル０）において、ＣＵＢＳ送信を監視し得る。
【００７８】
[0084]  ブロック９０１において、ＵＥが後続のサブフレームにおいて後続のチャネル予約信号をも検出したとき、ＵＥは、最初のサブフレームにおいて検出された最初のチャネル予約信号が、フラクショナルチャネル予約サブフレームであると決定する。よって、例えば、ＵＥがサブフレームの最後のシンボルと後続のサブフレームにおける最初のシンボルの両方においてＣＵＢＳ送信を検出した場合、ＵＥは、最初のＣＵＢＳ送信が実際はＦ−ＣＵＢＳであることを知る。
【００７９】
[0085]  ＵＥが後続のサブフレームにおいてＣＵＢＳ送信を検出することに失敗した場合、ＵＥは、代わりに、最初のサブフレームにおいて検出された最初のＣＵＢＳ送信が標準ＣＵＢＳ送信であると決定するだろう。ＵＥが、もしあれば、どのＣＵＢＳ送信がＦ−ＣＵＢＳであり、どのＣＵＢＳ送信が標準ＣＵＢＳであるかを決定することができると、ＵＥは、データを、またはＥＦＦＩＣＨ、ｅＣＲＳ、ＰＤＣＣＨ、およびそのようなもの、のような追加のシグナリングをいつ予想すべきかを適切に識別することができる。
【００８０】
[0086]  図９に例証されている態様の追加の実装形態において、ＵＥは、ＣＵＢＳと通常データ送信の両方のために、後続のサブフレーム上で並列処理を実行するように構成され得る。よって、最初のサブフレームにおいて検出されたＣＵＢＳ送信が標準ＣＵＢＳであると分かった場合、後続のサブフレームにおいてＵＥによって受信される信号は、おそらく通常データ送信を含むだろう。それゆえ、ＵＥは、並列に信号を処理し、または処理のためにバッファ中の後続のサブフレームからの信号を維持するべきである。
【００８１】
[0087]  図１０は、本開示の一態様を実装するために実行される、例となるブロックを例証するブロック図である。ブロック１０００において、送信機は、現在サブフレーム、現在スロット、または現在シンボルの境界より前に、競合ベースキャリア上で、成功したＥＣＣＡ検査を検出する。上記で例証されるように、ＥＣＣＡは、送信機がＥＣＣＡプロセス中でオフであるサブフレーム、スロット、シンボルの中間で成功して検出される。
【００８２】
[0088]  ブロック１００１において、送信機は、現在サブフレームの残りの間、Ｆ−ＣＵＢＳのようなフラクショナルチャネル予約信号を送信する。例えば、送信機は、成功したＥＣＣＡが検出された時間とサブフレーム境界との間で、現在サブフレームの残りの持続時間の間Ｆ−ＣＵＢＳを送信し得る。
【００８３】
[0089]  ブロック１００２において、送信機は、後続のサブフレームにおいてデータを送信し始める。図１０に例証されている例となる態様において、送信機は、ＣＵＢＳの送信をスキップすることによって、Ｆ−ＣＵＢＳ送信からのＣＵＢＳの潜在的誤検出を回避する。送信機は、Ｆ−ＣＵＢＳを通して競合ベースキャリアを予約し、次のサブフレームにおいて通常データ送信を開始するであろう。
【００８４】
[0090]  図１０に例証されている、例となる態様の追加の実装形態において、送信機は、Ｆ−ＣＵＢＳの後の後続のサブフレームにおいて開始する追加のシグナリングを送信するであろう。例えば、送信機は、データ送信に加えて後続のサブフレームにおいてＥＦＦＩＣＨを送信するであろう。よって、受信するＵＥは、アップリンク／ダウンリンクサブフレーム構成を取得するために、ＥＦＦＩＣＨを適切に復号することが可能であろう。ＵＥは、Ｆ−ＣＵＢＳ送信がサブフレーム全体にわたらないので、ＣＵＢＳ送信と比較して、Ｆ−ＣＵＢＳ送信を逃す、より高い確率を有し得る。しかしながら、確率は、ＵＥ性能に大幅に影響を及ぼさないかもしれない。
【００８５】
[0091]  図１１は、本開示の一態様を実装するために実行される、例となるブロックを例証するブロック図である。ブロック１１００において、送信機は、現在サブフレーム、現在スロット、または現在シンボルの境界より前に、競合ベースキャリア上で、成功したＥＣＣＡ検査を検出する。上記で例証されるように、ＥＣＣＡは、送信機がＥＣＣＡプロセス中でオフであるサブフレームの中間で成功が検出される。
【００８６】
[0092]  ブロック１１０１において、送信機は、現在サブフレームの残りの間、Ｆ−ＣＵＢＳのようなフラクショナルチャネル予約信号を送信する。例えば、送信機は、成功したＥＣＣＡが検出された時間とサブフレーム境界との間で、現在サブフレームの残りの持続時間の間、Ｆ−ＣＵＢＳを送信し得る。
【００８７】
[0093]  ブロック１１０２において、送信機は、後続のサブフレームにおいて開始するチャネル予約信号を送信する。例えば、送信機は、次のサブフレームの開始において通常ＣＵＢＳを送信し始め得る。
【００８８】
[0094]  ブロック１１０３において、送信機はまた、後続のサブフレームにおいて、チャネル予約信号とともにフレームフォーマットインジケータを送信する。例えば、次のサブフレームにおいてＣＵＢＳを送信することに加えて、送信機はまた、ＥＦＦＩＣＨのようなフレームフォーマットインジケータを送信する。追加の実装形態において、送信機はまた、次のサブフレームがｅＣＲＳ送信のためにスケジュールされている場合、次のサブフレームにおいてｅＣＲＳを送信し得る。
【００８９】
[0095]  図１２は、本開示の一態様を実装するために実行される、例となるブロックを例証するブロック図である。ブロック１２００において、送信機は、現在サブフレーム、現在スロット、または現在シンボルの境界より前に、競合ベースキャリア上で、成功したＥＣＣＡ検査を検出する。上記で例証されるように、ＥＣＣＡは、送信機がＥＣＣＡプロセス中でオフであるサブフレームの中間で成功が検出される。
【００９０】
[0096]  ブロック１２０１において、送信機は、現在サブフレームの残りの間、Ｆ−ＣＵＢＳのようなフラクショナルチャネル予約信号を送信する。例えば、送信機は、成功したＥＣＣＡが検出された時間とサブフレーム境界との間で、現在サブフレームの残りの持続時間の間、Ｆ−ＣＵＢＳを送信し得る。
【００９１】
[0097]  ブロック１２０２において、送信機は、後続のサブフレームにおいて、送信機によってＵＥから受信された何らかのＣＳＩ報告を廃棄する。Ｆ−ＣＵＢＳ送信からのＣＵＢＳの誤検出に伴う信頼できないＣＳＩフィードバックの問題に対処するために、図１２の例となる態様は、送信機が、信頼できないかもしれないＣＳＩフィードバックを単に無視することを可能にする。追加の実装形態において、送信機は、Ｆ−ＣＵＢＳ送信の後に送信フレーム全体においてＵＥから受信されたすべてのＣＳＩフィードバックを無視し得る。いくつかの事例において、無視されたＣＳＩ報告がランク指示（ＲＩ）のためのものであり、後続のＣＳＩ報告が、無視されたＲＩに基づいている、ＰＭＩおよびＣＱＩのためのものであるとき、送信機は、次の有効なＲＩが報告されるまで、ＲＩおよび後続のＣＱＩ／ＰＭＩを無視し得る。
【００９２】
[0098]  図７、図８、および図１０で言及された送信機が、ダウンリンクデータ送信のために準備する基地局または他のアクセスポイントのいずれかの一部である送信機、またはアップリンクデータ送信のために準備するＵＥを指し得ることに留意されたい。競合ベース周波数スペクトル上でデータを送信するネットワークエンティティは、ＣＣＡ、ＥＣＣＡなどを含み得るＬＢＴプロシージャを実行することになり、それは、Ｆ−ＣＵＢＳ送信からのＣＵＢＳの誤検出を低減または除去するための本開示の態様から恩恵を受け得る。
【００９３】
[0099]  さらに、図７〜図１２に例証されている態様の実装形態を任意の形成する送信機および受信機が、適宜に、図１、図２、図４の基地局１０５およびＵＥ１１５、ならびに図６の基地局６０およびＵＥ６１のような、基地局および／またはＵＥの一部であり得ることに留意されたい。説明されたブロック、機能、および特徴の各々は、そのような基地局およびＵＥのために説明された構造を使用して実装され得る。
【００９４】
[00100]  情報および信号は多種多様な技術および技法の内のいずれかを使用して表され得ることを、当業者は理解されよう。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組み合わせによって表され得る。
【００９５】
[00101]  図７〜図１２の機能ブロックおよびモジュールは、プロセッサ、電子デバイス、ハードウェアデバイス、電子構成要素、論理回路、メモリ、ソフトウェアコード、ファームウェアコード等、またはそれらの任意の組み合わせを備え得る。
【００９６】
[00102]  さらに、本明細書の開示に関して説明された様々な例証的な論理ブロック、モジュール、回路、およびアルゴリズムステップは、電子ハードウェア、コンピュータソフトウェア、または両方の組み合わせとして実装され得ることを、当業者は諒解されよう。ハードウェアとソフトウェアのこの互換性を明確に示すために、様々な例証的な構成要素、ブロック、モジュール、回路、およびステップが、上記において一般的にそれらの機能に関して説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じせしめるものと解釈されるべきではない。当業者はまた、本明細書で説明された構成要素、方法、または相互作用の順序あるいは組み合わせは例にすぎないこと、および本開示の様々な態様の構成要素、方法、または相互作用は、本明細書で例証し、説明されたもの以外の方法で組み合わせられるかまたは実行され得ることを容易に認識されよう。
【００９７】
[00103]  本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書で説明された機能を実行するように設計されたそれらの任意の組み合わせを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組み合わせ、例えば、ＤＳＰとマイクロプロセッサの組み合わせ、複数のマイクロプロセッサ、ＤＳＰコアと連携する１つまたは複数のマイクロプロセッサ、あるいは任意の他のそのような構成として実装され得る。
【００９８】
[00104]  本明細書の開示に関して説明された方法またはアルゴリズムのステップは、直接ハードウェアで実施されるか、プロセッサによって実行されるソフトウェアモジュールで実施されるか、またはその２つの組み合わせで具現され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体は、ＡＳＩＣ中に存在し得る。ＡＳＩＣは、ユーザ端末中に存在し得る。代替として、プロセッサおよび記憶媒体は、ユーザ端末中にディスクリート構成要素として存在し得る。
【００９９】
[00105]  １つまたは複数の例示的な設計において、説明された機能は、ハードウェア、ソフトウェア、ファームウェア、またはそれらの任意の組み合わせで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気記憶デバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。例えば、ソフトウェアが、同軸ケーブル、光ファイバーケーブル、ツイストペア、またはデジタル加入者線（ＤＳＬ）を使用して、ウェブサイト、サーバ、またはその他の遠隔ソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組み合わせもコンピュータ可読媒体の範囲内に含まれるべきである。
【０１００】
[00106]  特許請求の範囲を含めて、本明細書で使用されるように、２つ以上の項目の列挙中で使用されるとき、「および／または」という語は、列挙された項目の内のいずれか１つが単独で採用され得ること、または列挙された項目の内の２つ以上の任意の組み合わせが採用され得ることを意味する。例えば、組成が、構成要素Ａ、Ｂ、および／またはＣを含んでいると記述されている場合、その組成は、Ａのみ、Ｂのみ、Ｃのみ、ＡとＢの組み合わせ、ＡとＣの組み合わせ、ＢとＣの組み合わせ、またはＡとＢとＣの組み合わせを含んでいることがある。また、特許請求の範囲を含めて、本明細書で使用されるように、項目の列挙（例えば、「の内の少なくとも１つ」あるいは「の内の１つまたは複数」などの句で終わる項目の列挙）中で使用される「または」は、例えば、「Ａ、Ｂ、またはＣの内の少なくとも１つ」の列挙が、ＡまたはＢまたはＣまたはＡＢまたはＡＣまたはＢＣまたはＡＢＣ（すなわち、ＡおよびＢおよびＣ）あるいはそれらの任意の組み合わせを意味するような選言的列挙を示す。
【０１０１】
[00107]  本開示についての以上の説明は、いかなる当業者もが、本開示を作成または使用することができるように提供されたものである。本開示への様々な変更は当業者には容易に明らかになり、本明細書で定義された一般原理は、本開示の精神または範囲から逸脱することなく他の変形形態に適用され得る。よって、本開示は、本明細書で説明された例および設計に限定されることを意図するものではなく、本明細書で開示された原理および新規の特徴に合致する最も広い範囲を与えられるべきである。
【図１】
2020017984.tif 000004
【図２Ａ】
2020017984.tif 000005
【図２Ｂ】
2020017984.tif 000006
【図３】
2020017984.tif 000007
【図４】
2020017984.tif 000008
【図５】
2020017984.tif 000009
【図６】
2020017984.tif 000010
【図７】
2020017984.tif 000011
【図８】
2020017984.tif 000012
【図９】
2020017984.tif 000013
【図１０】
2020017984.tif 000014
【図１１】
2020017984.tif 000015
【図１２】
2020017984.tif 000016
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
送信機によって、競合ベース無線周波数スペクトルを利用する少なくとも１つのキャリア上で、成功した拡張クリアチャネルアセスメント（ＥＣＣＡ）検査を検出し、前記成功したＥＣＣＡ検査は、現在サブフレームの境界より前に行われることと、
前記成功したＥＣＣＡ検査が行われる時間から前記現在サブフレームの終了までアイドルにとどまることと、
前記送信機によって、前記少なくとも１つのキャリア上で、前記現在サブフレームの後の後続のサブフレームにおいて開始するチャネル予約信号を送信することとを含むワイヤレス通信の方法。
【請求項２】
前記送信機によって、前記後続のサブフレームにおいて前記チャネル予約信号を送信することより前にクリアチャネルアセスメント（ＣＣＡ）検査を実行することと、
前記送信機によって、前記ＣＣＡ検査の結果を検出し、前記送信することは、成功したＣＣＡ検査に応答して行われることをさらに含む請求項１記載の方法。
【請求項３】
前記送信機によって、前記成功したＥＣＣＡ検査と前記現在サブフレームの境界との間のアイドル時間を決定し、前記ＣＣＡ検査を実行することは、前記アイドル時間が所定のしきい値を超えることに応答して行われることをさらに含む請求項２記載の方法。
【請求項４】
ワイヤレス通信のために構成されている装置において、
前記装置は、
少なくとも１つのプロセッサと、
前記少なくとも１つのプロセッサに結合されているメモリとを具備し、
前記少なくとも１つのプロセッサは、
送信機によって、競合ベース無線周波数スペクトルを利用する少なくとも１つのキャリア上で、成功した拡張クリアチャネルアセスメント（ＥＣＣＡ）検査を検出し、前記成功したＥＣＣＡ検査は、現在サブフレームの境界より前に行われるようにと、
前記成功したＥＣＣＡ検査が行われる時間から前記現在サブフレームの終了までアイドルにとどまるようにと、
前記送信機によって、前記少なくとも１つのキャリア上で、前記現在サブフレームの後の後続のサブフレームにおいて開始するチャネル予約信号を送信するように構成されている装置。
【請求項５】
前記少なくとも１つのプロセッサは、
前記送信機によって、前記後続のサブフレームにおいて前記チャネル予約信号を送信することより前にクリアチャネルアセスメント（ＣＣＡ）検査を実行するようにと、
前記送信機によって、前記ＣＣＡ検査の結果を検出し、前記送信することは、成功したＣＣＡ検査に応答して行われるようにさらに構成されている請求項４記載の装置。
【請求項６】
前記少なくとも１つのプロセッサは、
前記送信機によって、前記成功したＥＣＣＡ検査と前記現在サブフレームの境界との間のアイドル時間を決定し、前記ＣＣＡ検査を実行することは、前記アイドル時間が所定のしきい値を超えることに応答して行われるようにさらに構成されている請求項５記載の装置。
【手続補正２】
【補正対象書類名】明細書
【補正対象項目名】０１０１
【補正方法】変更
【補正の内容】
【０１０１】
[00107]  本開示についての以上の説明は、いかなる当業者もが、本開示を作成または使用することができるように提供されたものである。本開示への様々な変更は当業者には容易に明らかになり、本明細書で定義された一般原理は、本開示の精神または範囲から逸脱することなく他の変形形態に適用され得る。よって、本開示は、本明細書で説明された例および設計に限定されることを意図するものではなく、本明細書で開示された原理および新規の特徴に合致する最も広い範囲を与えられるべきである。
以下に、本願出願の当初の特許請求の範囲に記載された発明を付記する。
［１］  送信機によって、競合ベース無線周波数スペクトルを利用する少なくとも１つのキャリア上で、成功した拡張クリアチャネルアセスメント（ＥＣＣＡ）検査を検出することと、ここにおいて、前記成功したＥＣＣＡ検査は、現在サブフレーム、現在スロット、または現在シンボルの内の１つの、サブフレーム、スロット、またはシンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することと、ここにおいて、前記チャネル予約信号が、前記第１のシーケンスとは異なる第２のシーケンスを使用して生成される、を備える、ワイヤレス通信の方法。
［２］  前記送信機によって、前記少なくとも１つのキャリア上での送信のためのデータを検出することと、
前記送信機によって、前記成功したＥＣＣＡ検査を前記検出することに応答して、前記第１のシーケンスを生成することと、
前記送信機によって、前記サブフレーム境界に達することに応答して、前記第２のシーケンスを生成することと、
前記送信機によって、前記後続のサブフレームの後に、前記データを送信することとをさらに含む、［１］に記載の方法。
［３］  前記送信機によって、前記成功したＥＣＣＡ検査の時間を検出することと、
前記送信機によって、前記時間と前記現在サブフレームの現在サブフレームタイミングとを比較することと、
前記送信機によって、前記時間が前記サブフレーム境界より前にあると決定することとをさらに含む、［１］に記載の方法。
［４］  前記第１のシーケンスが、前記第２のシーケンスの導出されたバージョンである、［１］に記載の方法。
［５］  前記導出されたバージョンが、
前記第２のシーケンスの反転順序、
前記第２のシーケンスの反転同相／直角位相順序、または
別のシーケンスによって乗算された前記第２のシーケンス、の内の１つである、［４］に記載の方法。
［６］  送信機によって、競合ベース無線周波数スペクトルを利用する少なくとも１つのキャリア上で、成功した拡張クリアチャネルアセスメント（ＥＣＣＡ）検査を検出することと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記現在サブフレームの後の後続のサブフレームにおいて開始するチャネル予約信号を送信することと、を備える、ワイヤレス通信の方法。
［７］  前記送信機によって、前記後続のサブフレームにおいて前記チャネル予約信号を前記送信することより前にクリアチャネルアセスメント（ＣＣＡ）検査を実行することと、
前記送信機によって、前記ＣＣＡ検査の結果を検出することと、ここにおいて、前記送信することが、成功したＣＣＡ検査に応答して行われる、をさらに含む、［６］に記載の方法。
［８］  前記送信機によって、前記成功したＥＣＣＡ検査と前記サブフレーム境界との間のアイドル時間を決定すること、ここにおいて、前記ＣＣＡ検査を前記実行することが、前記アイドル時間が所定のしきい値を超えることに応答して行われる、をさらに含む、［７］に記載の方法。
［９］  プログラムコードを記録した非一時的コンピュータ可読媒体であって、前記プログラムコードは、
送信機によって、競合ベース無線周波数スペクトルを利用する少なくとも１つのキャリア上で、成功した拡張クリアチャネルアセスメント（ＥＣＣＡ）検査を検出することをコンピュータに行わせるためのプログラムコードと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することを前記コンピュータに行わせるためのプログラムコードと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することを前記コンピュータに行わせるためのプログラムコードと、ここにおいて、前記チャネル予約信号が、前記第１のシーケンスとは異なる第２のシーケンスを使用して生成される、を含む、非一時的コンピュータ可読媒体。
［１０］  前記送信機によって、前記少なくとも１つのキャリア上での送信のためのデータを検出することを前記コンピュータに行わせるためのプログラムコードと、
前記送信機によって、前記成功したＥＣＣＡ検査を検出することに応答して、前記第１のシーケンスを生成することを前記コンピュータに行わせるためのプログラムコードと、
前記送信機によって、前記サブフレーム境界に達することに応答して、前記第２のシーケンスを生成することを前記コンピュータに行わせるためのプログラムコードと、
前記送信機によって、前記後続のサブフレームの後に前記データを送信することを前記コンピュータに行わせるためのプログラムコードと、をさらに含む、［９］に記載の非一時的コンピュータ可読媒体。
［１１］  前記送信機によって、前記成功したＥＣＣＡ検査の時間を検出することを前記コンピュータに行わせるためのプログラムコードと、
前記送信機によって、前記時間と前記現在サブフレームの現在サブフレームタイミングとを比較することを前記コンピュータに行わせるためのプログラムコードと、
前記送信機によって、前記時間が前記サブフレーム境界より前にあると決定することを前記コンピュータに行わせるためのプログラムコードと、をさらに含む、［９］に記載の非一時的コンピュータ可読媒体。
［１２］  前記第１のシーケンスは、前記第２のシーケンスの導出されたバージョンである、［９］に記載の非一時的コンピュータ可読媒体。
［１３］  前記導出されたバージョンは、
前記第２のシーケンスの反転順序、
前記第２のシーケンスの反転同相／直角位相順序、または
別のシーケンスによって乗算された前記第２のシーケンス、の内の１つである、［１２］に記載の非一時的コンピュータ可読媒体。
［１４］  ワイヤレス通信のために構成された装置であって、前記装置は、
少なくとも１つのプロセッサと、
前記少なくとも１つのプロセッサに結合されたメモリとを備え、
ここにおいて、前記少なくとも１つのプロセッサは、
送信機によって、競合ベース無線周波数スペクトルを利用する少なくとも１つのキャリア上で、成功した拡張クリアチャネルアセスメント（ＥＣＣＡ）検査を検出することと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することと、ここにおいて、前記チャネル予約信号が、前記第１のシーケンスとは異なる第２のシーケンスを使用して生成される、を行うように構成された、装置。
［１５］  前記送信機によって、前記少なくとも１つのキャリア上での送信のためのデータを検出することと、
前記送信機によって、前記成功したＥＣＣＡ検査を検出することに応答して、前記第１のシーケンスを生成することと、
前記送信機によって、前記サブフレーム境界に達することに応答して、前記第２のシーケンスを生成することと、
前記送信機によって、前記後続のサブフレームの後に前記データを送信することとを行うための前記少なくとも１つのプロセッサの構成をさらに含む、［１４］に記載の装置。
［１６］  前記送信機によって、前記成功したＥＣＣＡ検査の時間を検出することと、
前記送信機によって、前記時間と前記現在サブフレームの現在サブフレームタイミングとを比較することと、
前記送信機によって、前記時間が前記サブフレーム境界より前にあると決定することとを行うための前記少なくとも１つのプロセッサの構成をさらに含む、［１４］に記載の装置。
［１７］  前記第１のシーケンスは、前記第２のシーケンスの導出されたバージョンである、［１４］に記載の装置。
［１８］  前記導出されたバージョンは、
前記第２のシーケンスの反転順序、
前記第２のシーケンスの反転同相／直角位相順序、または
別のシーケンスによって乗算された前記第２のシーケンス、の内の１つである、［１７］に記載の装置。
【外国語明細書】
2020017984000001.pdf